【事件の表示】
　特願２００２−２５４５３１「カラーレジストレーション及び画像濃度制御装置」拒絶査定不服審判事件〔平成１５年　６月２７日出願公開、特開２００３−１７７５９０〕について、次のとおり審決する。
【結　論】
　本件審判の請求は、成り立たない。
【理　由】
１．手続の経緯・本願発明 
　本願は、平成１４年８月３０日の出願（パリ条約による優先権主張２００１年９月４日　韓国）であって、平成２０年１月１７日付けで拒絶査定がなされ、これに対して、同年４月２１日付けで拒絶査定に対する審判請求がなされるとともに、同年５月２０日付けで手続補正がなされたもので、当審において、平成２１年１１月１３日付けで、上記平成２０年５月２０日付けの手続補正を却下する決定がなされるとともに、同日付けで拒絶理由が通知されたところ、平成２２年５月１７日付けで意見書及び補正書が提出されたものである。また、平成２２年４月１５日に、審判官と代理人の間で面接がなされている。
　
　本願の請求項１〜１６に係る発明は、平成２２年５月１７日付けの手続補正書により補正された特許請求の範囲の請求項１〜１６に記載された事項により特定されるとおりのものと認められるところ、その請求項１に係る発明（以下、「本願発明１」という。）は、以下のとおりである。
　
　「【請求項１】
　印刷機の転写ベルト上に副走査方向に配列された第１乃至第４カラー別レジストレーションマークと、
　前記第１乃至第４カラー別レジストレーションマークの全体に対して前記副走査方向に配列され、各々複数のグレイレベルマークを含む第１乃至第４カラー別画像濃度マークと、
　前記第１乃至第４カラー別レジストレーションマークと前記第１乃至第４カラー別画像濃度マークを検出するものとして、スポット状のビームを照射する発光部と前記第１乃至第４カラー別レジストレーションマークと前記第１乃至第４カラー別画像濃度マークから反射されたビームを受光する受光部とを備える一対の光モジュールとを有し、
　前記第１乃至第４カラー別レジストレーションマークの各々は、前記転写ベルト上の主走査方向の両側に各々離隔して配置される第１、第２レジストレーションマークを含み、
　前記第１乃至第４カラー別画像濃度マークの各々は前記転写ベルト上の主走査方向の両側に各々離隔して配置される第１、第２画像濃度マークを含み、
　前記第１乃至第４カラー別レジストレーションマークと前記第１乃至第４カラー別画像濃度マークは前記転写ベルト上の主走査方向の一側に前記第１レジストレーションマークと第１画像濃度マークが副走査方向に一列に配列され、前記転写ベルト上の主走査方向の他側に前記第２レジストレーションマークと第２画像濃度マークが副走査方向に一列に配列され、
　前記一対の光モジュールは、前記転写ベルトの上方に主走査方向にお互い離隔されるよう配置され、前記第１レジストレーションマークと前記第１画像濃度マークを連続的に検出する第１光モジュールと、前記第２レジストレーションマークと前記第２画像濃度マークを連続的に検出する第２光モジュールとを含むことを特徴とするカラーレジストレーション及び画像濃度制御装置。」
　
　
２．引用刊行物の記載事項 
　これに対して、当審において通知した拒絶理由で引用された、本願優先日前に頒布された刊行物である特開２０００−１４７９１５号公報（以下「刊行物１」という。）には、図面とともに以下の事項が記載されている。なお、下線は当審で付した。
　
 　（１ａ）「【００６７】また、上記
カラー電子写真複写機
カラー画像の画質を保証するために、プロセスコントロール用のパッチやレジストコントロール用のパッチを、画像形成動作の開始前や記録媒体の通紙間のタイミングで中間転写体上に転写し、これらのプロセスコントロール用のパッチやレジストコントロール用のパッチを検出して、その検出結果に基づいて画像形成動作を制御する
図４に示すように、中間転写ベルト２１の画像領域５０に、イエロー（Ｙ）、マゼンタ（Ｍ）、シアン（Ｃ）、ブラック（ＢＫ）の各色のプロセスコントロール用のパッチ５３Ｙ、５３Ｍ、５３Ｃ、５３ＢＫが、異なった濃度で複数形成されるとともに、イエロー（Ｙ）、マゼンタ（Ｍ）、シアン（Ｃ）、ブラック（ＢＫ）の各色のレジストコントロール用の横向きＶ字形状のパッチ５４Ｙ、５４Ｍ、５４Ｃ、５４ＢＫが、所定のピッチで形成される
 【００６９】また、上記カラー電子写真複写機では、図５に示すように、中間転写ベルト２１上の記録用紙２６の通紙間に対応した非画像領域５０に、イエロー（Ｙ）、マゼンタ（Ｍ）、シアン（Ｃ）、ブラック（ＢＫ）の各色のプロセスコントロール用のパッチ５５Ｙ、５５Ｍ、５５Ｃ、５５ＢＫが、６０％と２０％の２種類の濃度で形成されるとともに、イエロー（Ｙ）、マゼンタ（Ｍ）、シアン（Ｃ）、ブラック（ＢＫ）の各色のレジストコントロール用の横向きＶ字形状のパッチ５６Ｙ、５６Ｍ、５６Ｃ、５６ＢＫが、所定のピッチで形成される。 
 【００７０】上記中間転写ベルト２１上に形成された
プロセスコントロール用のパッチ５３Ｙ、５３Ｍ、５３Ｃ、５３ＢＫ及び５４Ｙ、５４Ｍ、５４Ｃ、５４ＢＫやレジストコントロール用のパッチ５５Ｙ、５５Ｍ、５５Ｃ、５５ＢＫ及び５６Ｙ、５６Ｍ、５６Ｃ、５６ＢＫは
光学センサー５７によって検出
　
　なお、上記【００７０】では、「プロセスコントロール用のパッチ５３Ｙ、５３Ｍ、５３Ｃ、５３ＢＫ及び５４Ｙ、５４Ｍ、５４Ｃ、５４ＢＫやレジストコントロール用のパッチ５５Ｙ、５５Ｍ、５５Ｃ、５５ＢＫ及び５６Ｙ、５６Ｍ、５６Ｃ、５６ＢＫ」とされるが、【００６８】及び【図４】の記載からすると、符号の記載が間違っており、【００６８】及び【図４】については、プロセスコントロール用のパッチは、５３Ｙ、５３Ｍ、５３Ｃ、５３ＢＫ、レジストコントロール用のパッチは、５４Ｙ、５４Ｍ、５４Ｃ、５４ＢＫである。下記（１ｃ）の【００７５】も同様である。
　
　（１ｂ）段落【００６８】で参照する【図４】は次のとおりである。　
　（１ｃ）「【００７５】図６において、６０はカラー電子写真複写機の画像形成動作を制御するとともに、転写バイアス電圧印加制御手段としても機能するＣＰＵ、６１は複写枚数や複写倍率あるいは記録用紙２６のサイズ等を指定するユーザーインターフェイス、４５は中間転写ベルト２１に設けられたマーク５２を検知するための位置検知センサー、
５７は中間転写ベルト２１上に転写されたプロセスコントロール用のパッチ５３Ｙ、５３Ｍ、５３Ｃ、５３ＢＫ及び５４Ｙ、５４Ｍ、５４Ｃ、５４ＢＫやレジストコントロール用のパッチ５５Ｙ、５５Ｍ、５５Ｃ、５５ＢＫ及び５６Ｙ、５６Ｍ、５６Ｃ、５６ＢＫを検出するための光学センサー
　
　（１ｄ）「【００７９】そして、上記中間転写ベルト２１の画像領域５０には、図４及び図７に示すように、複写動作をスタートするコピーボタンが押された後であって、実際に複写動作が開始する前のセットアップ動作時に、感光体ドラム１７上に形成された
イエロー（Ｙ）、マゼンタ（Ｍ）、シアン（Ｃ）、ブラック（ＢＫ）の各色のプロセスコントロール用のパッチ５３Ｙ、５３Ｍ、５３Ｃ、５３ＢＫが、異なった濃度で複数転写される
イエロー（Ｙ）、マゼンタ（Ｍ）、シアン（Ｃ）、ブラック（ＢＫ）の各色のレジストコントロール用の横向きＶ字形状のパッチ５４Ｙ、５４Ｍ、５４Ｃ、５４ＢＫが、所定のピッチで転写される
中間転写ベルト２１の画像領域５０に転写された各色のプロセスコントロール用のパッチ５３Ｙ、５３Ｍ、５３Ｃ、５３ＢＫや、各色のレジストコントロール用の横向きＶ字形状のパッチ５４Ｙ、５４Ｍ、５４Ｃ、５４ＢＫは、図１に示すように、光学センサー５７によって検出され
これらのプロセスコントロール用のパッチやレジストコントロール用のパッチの濃度や位置のデータは、図６に示すように、ＣＰＵ６０に送られる
ＣＰＵ６０は、プロセスコントロール用のパッチやレジストコントロール用のパッチの濃度や位置のデータが、所定の範囲内にあるか否かを判別し、当該パッチの濃度や位置のデータが所定の範囲内に入るように、画像形成用の種々のパラメータを制御する
　 
　（１ｅ）【図４】より、
レジストコントロール用の横向きＶ字形状のパッチとプロセスコントロール用のパッチは、共に、中間転写ベルトの上の画像領域に、副走査方向に配列して形成されており、また、両パッチが副走査方向に隔離して配列されている
　また、上記（１ｃ）（１ｄ）の事項より、上記カラー電子写真複写機には、「
上記両パッチを形成するとともに、上記光学センサーを有し、上記光学センサーにより検出された当該パッチの濃度や位置のデータが所定の範囲内に入るように、画像形成用の種々のパラメータを制御する、カラー電子写真複写機の制御装置
　
　上記（１ａ）〜（１ｅ）の摘記事項等を総合して勘案すると、刊行物１には以下の発明（以下、「刊行物１記載の発明」という。）が実質的に記載されているものと認められる。
　
　「カラー電子写真複写機の中間転写ベルト上の画像領域に、副走査方向に、イエロー、マゼンタ、シアン、ブラックの各色のレジストコントロール用の横向きＶ字形状のパッチと、前記レジストコントロール用の横向きＶ字形状のパッチに対して、副走査方向に離隔して、それぞれ異なった濃度で複数形成されるイエロー、マゼンタ、シアン、ブラックの各色のプロセスコントロール用のパッチとを形成し、
　前記レジストコントロール用の横向きＶ字形状のパッチの位置、及び前記プロセスコントロール用のパッチの濃度を検出する光学センサーを有し、
　前記光学センサーにより検出された当該パッチの濃度や位置のデータが所定の範囲内に入るように、画像形成用の種々のパラメータを制御する、
　カラー電子写真複写機の制御装置。」
　
３．対比　
　本願発明１と刊行物１記載の発明とを対比する。
　
　まず、本願明細書【０００２】に「プリンタや複写機などの印刷機」と記載されているように、本願発明１の「印刷機」に、複写機が含まれることは明らかであるので、刊行物１記載の発明の「カラー電子写真複写機」は、本願発明１の「印刷機」に相当する。
　
　刊行物１記載の発明の「中間転写ベルト」「イエロー、マゼンタ、シアン、ブラックの各色のレジストコントロール用の横向きＶ字形状のパッチ」「それぞれ異なった濃度で複数形成されるイエロー、マゼンタ、シアン、ブラックの各色のプロセスコントロール用のパッチ」は、それぞれ、本願発明１の「転写ベルト」「第１乃至第４カラー別レジストレーションマーク」「各々複数のグレイレベルマークを含む第１乃至第４カラー別画像濃度マーク」に相当する。
　
　また、刊行物１記載の発明の「前記レジストコントロール用の横向きＶ字形状のパッチの位置、及び前記プロセスコントロール用のパッチの濃度を検出する光学センサー」と、
　本願発明１の「前記第１乃至第４カラー別レジストレーションマークと前記第１乃至第４カラー別画像濃度マークを検出するものとして、スポット状のビームを照射する発光部と前記第１乃至第４カラー別レジストレーションマークと前記第１乃至第４カラー別画像濃度マークから反射されたビームを受光する受光部とを備える一対の光モジュール」とは、
　「前記第１乃至第４カラー別レジストレーションマークと前記第１乃至第４カラー別画像濃度マークを検出する、光学による検出手段」である点で共通する。
　
　さらに、刊行物１記載の発明の「前記光学センサーにより検出された当該パッチの濃度や位置のデータが所定の範囲内に入るように、画像形成用の種々のパラメータを制御する、カラー電子写真複写機の制御装置」は、本願発明１の「カラーレジストレーション及び画像濃度制御装置」に相当するということができる。
　
　そうすると、両者の一致点、相違点は、以下のとおりと認められる。
　
［一致点］
　「印刷機の転写ベルト上に副走査方向に配列された第１乃至第４カラー別レジストレーションマークと、
　前記第１乃至第４カラー別レジストレーションマークに対して前記副走査方向に配列され、各々複数のグレイレベルマークを含む第１乃至第４カラー別画像濃度マークと、
　前記第１乃至第４カラー別レジストレーションマークと前記第１乃至第４カラー別画像濃度マークを検出する、光学による検出手段とを有する、
　カラーレジストレーション及び画像濃度制御装置。」
　
　なお、「第１乃至第４カラー別レジストレーションマーク」及び「各々複数のグレイレベルマークを含む第１乃至第４カラー別画像濃度マーク」は、一応、「カラーレジストレーション及び画像濃度制御装置」の構成要素であるとして、一致点を認定した。
　また、以下の相違点の認定では、レジストレーションマーク、及び画像濃度マークの配置箇所について、識別し易いように、下線を付した。
　
［相違点１］
　本願発明１では、
　第１乃至第４カラー別レジストレーションマーク
全体
　前記第１乃至第４カラー別レジストレーションマークの各々は、前記転写ベルト上の主走査方向の
両側
　前記第１乃至第４カラー別画像濃度マークの各々は前記転写ベルト上の主走査方向の
両側
　前記第１乃至第４カラー別レジストレーションマークと前記第１乃至第４カラー別画像濃度マークは前記転写ベルト上の主走査方向の
一側
他側
　刊行物１記載の発明では、第１乃至第４カラー別レジストレーションマークと、第１乃至第４カラー別画像濃度マークの位置が、本願発明１とは異なる点。
　
［相違点２］
　第１乃至第４カラー別レジストレーションマークと第１乃至第４カラー別画像濃度マークを検出する、光学による検出手段が、
　本願発明１は、
スポット状のビームを照射する発光部と前記第１乃至第４カラー別レジストレーションマークと前記第１乃至第４カラー別画像濃度マークから反射されたビームを受光する受光部とを備える一対の光モジュールであり、
前記一対の光モジュールは、前記転写ベルトの上方に主走査方向にお互い離隔されるよう配置され、前記第１レジストレーションマークと前記第１画像濃度マークを連続的に検出する第１光モジュールと、前記第２レジストレーションマークと前記第２画像濃度マークを連続的に検出する第２光モジュールとを含むのに対して、
　刊行物１記載の発明は、光学センサーの構成は明らかでなく、また、光学センサーが一対の光モジュールであり特定位置に配置されるものとはされていない点。
　
　
４．当審の判断 
　上記相違点について検討する。
　
（１）相違点１について 
　相違点１に係る本願発明１は、次の３点に細分される。
　（ア）「第１乃至第４カラー別レジストレーションマーク
全体
　
　（イ）「前記第１乃至第４カラー別レジストレーションマークの各々は、前記転写ベルト上の主走査方向の
両側
　前記第１乃至第４カラー別画像濃度マークの各々は前記転写ベルト上の主走査方向の
両側
　（ウ）前記第１乃至第４カラー別レジストレーションマークと前記第１乃至第４カラー別画像濃度マークは前記転写ベルト上の主走査方向の
一側
他側
　ここで、（ウ）の点は、（ア）、（イ）の点を別の観点から表現したものといえ、（ウ）の点は、実質的に上記（ア）、（イ）の内容と同じといえる。
　
　そこで、まず、上記（ア）、（イ）の点を検討する。
　
（ア）について
　刊行物１の【図４】をみると、レジストレーションマーク（レジストコントロール用の横向きＶ字形状のパッチ）と、画像濃度マーク（プロセスコントロール用のパッチ）とを、中間転写ベルトの副走査方向に離して配置したものが記載されている。
　このような刊行物１の配置を参考にして、刊行物１記載の発明において、本願発明１のごとく「第１乃至第４カラー別レジストレーションマーク
全体
　
（イ）について
　この点に関しては、当審で通知した拒絶理由で、「レジストレーションマークや画像濃度マークを画像領域の両側に配列することは、例えば、特開平８−２７８６８０号公報（【図１】等参照）、特開２０００−２７５９２６号公報（【図１】等参照）、特開平１０−１４２８８０号公報（【図４】等参照）、特開平６−１０６７７９号公報（【図３】等参照）、特開平８−６９１４６号公報（【図１０】等参照）、特開平１−２０７７６４号公報（第１図及び第６図等参照）等に記載されているように周知の技術的事項である。」 と、既に指摘しているところである。
　そして、その指摘において例示した文献に記載されるように、レジストレーションマークを、転写ベルト上の主走査方向の両側に離隔して配置される第１、第２レジストレーションマークとすることは、周知技術ということができるから、このような周知技術を刊行物１記載の発明に適用して、本願発明１のごとく「第１乃至第４カラー別レジストレーションマークの各々は、転写ベルト上の主走査方向の
両側
　
　また、画像濃度マークを、転写ベルト上の主走査方向の両側に離隔して配置される第１、第２画像濃度マークとすることも、当審の拒絶理由通知で「・・・画像濃度マークを画像領域の両側に配列することは、・・・特開平１−２０７７６４号公報（第１図及び第６図等参照）等に記載されているように周知の技術的事項である。」と指摘したとおり、周知である。
　なお、当審の拒絶理由通知で、周知である対象を「画像濃度マークを画像領域の両側に配列すること」としたのは、拒絶理由通知時の請求項１は、「前記カラー別レジストレーションマークと前記カラー別画像濃度マークは、前記中間転写体上の画像領域の両側に配列される」という規定であったからであり、その後、補正により、本願発明１は「画像領域」の文言がないものとなっている。
　本審決では、画像濃度マークを、転写ベルト上の主走査方向の両側に離隔して配置される第１、第２画像濃度マークとすることが周知であることの例示文献として、当審の拒絶理由通知で既に示した周知例１：特開平１−２０７７６４号公報のほかに、平成２２年４月１５日の面接において審判官が代理人に示した周知例２：特開平５−８０６２５号公報、さらに、今回新たに例示文献として示す周知例３：特開平１−１６７７６９号公報をあげる。
　そして、刊行物１記載の発明において、周知技術を適用して、本願発明１のごとく「第１乃至第４カラー別画像濃度マークの各々は転写ベルト上の主走査方向の
両側
　
　また、上記では、それぞれ（ア）、（イ）の点について検討したが、（ウ）の点も含め、相違点１全体としてみても、当業者が容易に想到し得ることである。
　
　なお、上記周知例１〜３の記載事項を以下に摘示しておく（下線は当審で付した）。
　
（周知例１）
　（１ａ）「２．特許請求の範囲
（１）画像形成手段によって形成された画像を転写するための転写材を搬送する搬送手段と、該搬送手段に近接して配設された検出手段とを有する画像形成装置であって、
前記検出手段は、前記画像の転写位置の検出と、画像濃度の検出
の目的を兼ねる構成とした
（２）前記画像形成手段を複数並設し、前記転写材上に画像を順次転写することを特徴とする請求項１記載の画像形成装置。」
　
　（１ｂ）「〔産業上の利用分野〕
　本発明は、例えば電子写真装置、レーザビームプリンタ、印刷装置等の画像形成装置、特に、複数の画像形成手段を並設した多重画像形成装置に関するものである。」（第１頁左下欄〜右下欄）
　
　（１ｃ）「（実施例）
　以下に、本発明を実施例に基づいて説明する。
第１図に、本発明に係る４ドラムフル力ラー式画像形成装置の一実施例の要部構成斜視図を示す。
（構成）
　同図において、１Ｃ，１Ｍ，１Ｙ，１ＢＫは、それぞれシアン、マゼンタ、イエロー、ブラックの各色の現像剤（トナー）を備えた各画像形成ステーションにおける各感光（体）ドラムである。・・・（中略）・・・転写材としての転写紙は、透明な搬送（または転写）ベルト６ａ上に支持されて矢印Ａ方向に搬送され、上記各画像形成ステーションにおいて順次各色のトナー像がその上に転写されてカラー画像が形成される。この転写工程が終了すると、転写紙は、不図示の定着器に導かれて画像が定着された後、機外へ排出される。
　一方、
搬送ベルト６ａ上には
画像位置および濃度を検出するためのカラーマーク３４，３５が、電子写真プロセスにより、各色ごとに一定間隔をもって形成される。１４，１５はこれらのカラーマークを読取るための各センサであり、通常はＣＣＤ（電荷結合素子）が用いられる
　
搬送ベルト６ａ上に形成された各カラーマーク３４，３５は
各ＣＣＤ１４，１５により、色ずれおよび濃度が読取られて補正に利用される
（カラーマーク）
　次に各マーク３４，３５とその検出方法について説明する。
第２図
カラーマークを構成する各レジスタマークの詳細図を示す。レジスタマークは、」形と□形の２種類のフォントで構成され
」形は画像位置検出用
□形は画像濃度検出用
　
　（１ｄ）「まず、第９図おけるＣＰＵ２２０は、画像データメモリ２２１の右側Ｃ（シアン）と右側Ｍ（マゼンダ）の各位置決めパターンから得られた画像中心座標ｘＣ，ｙＣ，ｘＭ，ｙＭを比較し誤差を求める。続いて、左側Ｃ（シアン）と左側Ｍ（マゼンダ）も同様に比較し誤差を求める。左、右どちらも誤差がない場合は、レジストレーションは合っていると判断される。誤差が検出された場合は、その誤差量に応じてＭ（マゼンダ）用の画像出力タイミング、つまりＶＳＹＮＣを設定し、そしてステッピングモータ２８，２９の駆動を行う。以下、同様に、Ｃ（シアン）とＹ（イエロー）、Ｃ（シアン）とＢＫ（ブラック）を比較し、Ｙ（イエロー）、ＢＫ（ブラック）を補正していく。以上で
レジストレーションの補正
　
　（１ｅ）「（
画像濃度の検出／補正
　
各カラーマーク３４，３５の形成は、自動レジスト補正動作および画像濃度制御動作に大きな影響を与える
また、潜像形成後の可視像化から転写紙上に像を形成するまでは、現像バイアスのＤＣ成分、トナーとキャリアの混合比、転写電流等によって決定される。
　カラーマーク３４，３５の形成は、各色相互間のずれ量を測定しているので非常に重要である。従って、カラーマークの画像濃度を一定に保ち、画像認識を正確に行わせることが必要である。また
画像濃度を一定に保つことは、カラーバランスを常に保ち、美しいカラー画像を得ることができる
　
　（１ｆ）「前記第９図において、
ＣＰＵ２２０は各カラーマーク３４，３５の中で画像濃度レベルを示す□部分
の反射濃度Ｄｍａｘを認識する
　そして、
この読取った反射濃度を各色ごとにそれぞれＤｍａｘ−Ｃ，Ｄｍａｘ−Ｍ，Ｄｍａｘ−Ｙ，Ｄｍａｘ−ＢＫとすると
これらの値と目標標準濃度Ｄｏと比較し、Ｄｏ＞Ｄｍａｘ−Ｃ（濃＞淡）の場合は、レーザ駆動電流をΔＩｏ分だけ増やし、画像濃度を高める
Ｄｏ＜Ｄｍａｘ−Ｃ（淡＜濃）の場合には、レーザ駆動電流をΔＩｏだけ減らし、画像濃度を低くする
　
　（１ｇ）また、第１図、第２図は以下のとおり。
　
（周知例２）
　（２ａ）「【００１９】コントローラ１５は電位センサ５１Ｋから感光ドラム１Ｋの表面電位が検出され、電位計５１から電位データが出力されると、出力された電位データを参照しながら、あらかじめ記憶された複数の明部電位データが得られるように感光ドラム１Ｋの明部電位を設定し、すなわちコントローラ１５がレーザスキャナ３Ｋから発射されるレーザビームの光量を調整設定し、設定された複数の明部電位を感光ドラム１Ｋに印加し、設定された複数の明部電位毎にレーザスキャナ３Ｋより感光ドラム１Ｋ上にテストパッチ２２に対応する潜像を順次形成させ、各テストパッチ２２の潜像を現像装置４Ｋにより現像し、搬送ベルト６ａに転写する。そして、
搬送ベルト６ａに転写された各テストパッチ画像濃度をパッチ濃度センサ１２の受光器１２ａと光源１２ｂにより読み取り、その光量レベル信号をコントローラ１５にフィードバックする
【００２０】図５は本発明に係る画像形成装置における画像形成条件設定制御手順の一例を示すフローチャートである。なお、(1) 〜(9) は各ステップを示す。
【００２１】給紙カセット７から記録媒体が給送されると、この記録媒体が記録材質検出手段１１を通過する際に、図２に示したように記録材質検出手段１１の導体ローラ１１ａ，１１ｂを通電する電流Ｉが変化しするので、この変化量を測定してコントローラ１５が記録媒体の記録材質が検出される(1) 。これに並行して、
転写ベルト６ａ上に複数のテストパッチ２２を転写し
パッチ濃度センサ１２によりパッチ濃度を検出して
濃度パッチを構成するテストパッチ２２はＦＦH(ヘキサ)階調うち、２０H ，４０H ，８０H ，Ａ０H ，ＦＦH の系５つの階調パッチをあらかじめ設定された基準条件で作成される
　
　（２ｂ）「【００２７】記録媒体の画像余白部分にテストパッチ２２を転写し、そのパッチ濃度をパッチ濃度センサ１２により検出し、画像形成条件を決定した後、画像定着前に図７に示すドラム２１によりテストパッチ２２を再転写させる。」
　
　（２ｃ）「【００３０】また、
図８
レジストストセンサ６２
レジストストセンサ６３
に上記パッチ濃度センサ１２の機能を兼用させる構成であっても良い
【００３１】なお、レジストストセンサ６２，６３は感光ドラム１Ｋのドラム軸方向のレジストずれを検出するため、
レジストスト補正マークが搬送ベルト６ａの搬送方向と直交する端部に形成されるので
テストパッチ２２も、搬送ベルト６ａの搬送方向と直交する端部にテストパッチ２２ａ，２２ｂとして転写される
その際、現像材搬送ムラ等により、濃度の濃淡が存在する場合がある。そこで、テストパッチ２２ａ，２２ｂの読み取り画像情報に所定の補正演算を施して１つの濃度信号としてコントローラ１５に取り込んで制御を実行してもよい
　
　（２ｄ）図８は以下のとおり。
　
（周知例３）
　（３ａ）「２．特許請求の範囲
１）多重画像を形成するために複数個の画像形成部が配置された多重画像形成装置において、各画像形成部にてそれぞれ色の異なった各画像を形成し、転写材に転写され重ねられる該
各画像の転写位置のズレを補正するための特定の位置決めパターンの読み取りと
転写材上に転写される画像の濃度を制御するための濃度パターンの読み取りとを同一のパターン読み取り装置で共用させて読み取る
　
　（３ｂ）「産業上の利用分野
　本発明は、電子写真装置、レーザビームプリンター、印刷装置等のように画像情報を転写材のような像支持体上に形成する画像形成装置に関し、特にカラー電子写真装置あるいはカラーレーザビームプリンタ等のように、画像形成手段を複数個、配置して多重画像を形成する多重画像形成装置に関する。以下、本発明の多重画像形成装置に関連して、本明細書では４連ドラム式カラーレーザビームプリンタを例に取り述べる。」（第１頁左下欄〜右下欄）
　
　（３ｃ）「このように４つの画像形成部を有する多重画像形成装置において、画像を形成する際には、シアン、マゼンタ、イエロー、ブラックの各色に対応する各画像形成部Ｐａ〜Ｐｄの両端部に、第４図に示すような位置決めパターンとしての位置決めマーク像３０を、カールソンプロセス等の所定のプロセスを介し、それぞれ、シアン、マゼンタ、イエロー、ブラックの各色に対して形成し（第３図に示されているように、
それぞれの各色に対し形成された位置決めマーク像を、それぞれ３０ａ、３０ｂ、３０ｃ及び、３０ｄとする）、順次搬送ベルト１０９上に転写する
　転写ベルト１０９上において、各画像形成部Ｐａ〜Ｐｄの両端部に形成されるこの位置決めマーク像３０は、
第３図から明らかなように、転写ベルト１０９の搬送方向と直行する方向、すなわち主走査方向の各画像形成部の右側端及び左側端に転写され
　転写ベルト１０９上において各画像形成部の右側端及び左側端に転写された位置決めマーク像３０は、第２図に示されるように、これを読みとれるように、それぞれに対応して配設されたパターン読み取り装置、すなわち
位置決めマーク像読み取りセンサとしてのＣＣＤイメージセンサ２１，２２により読み取られる
・・・（中略）・・・
　このようにして、ＣＣＤイメージセンサ２１，２２で読み取られた反射光は、ＣＰＵ（中央処理装置）に入力されて処理され、このＣＰＵ（中央処理装置）により位置決めマーク像３０の位置が求められて、
レジストレーションのズレ量が演算
・・・（中略）・・・
　このズレ量に応じて、第１図のレーザ光路中にある反射ミラー１１７をステッピングモータ（図示せず）を用いて作動させ、倍率、副走査方向の傾き、平行移動等を調整することにより、
レジストレーションを合わせる
　
　（３ｄ）「次に、
第５図
濃度パターンの読み取り
　まず、この濃度パターンの読み取りは、レジストレーション補正の際の位置決めマーク像の読み取りとは別に行なわれる。第５図に示すように、
濃度パターン５４のプリントについては、階調を変えた一様な濃度パッチを有する濃度パターン５４が、各色ごとに
数階調の濃度パッチを、ある間隔をもって転写ベルト１０９の右左の両端
に、ＣＣＤイメージセンサ２１，２２に対応するように、転写ベルト１０９上の位置にプリント
　数階調の濃度パッチを有する濃度パターン５４の転写ベルト１０９への転写は、転写ベルト１０９上に１色ずつ適当な間隔をもって行なわれ、それぞれ、シアン、マゼンタ、イエロー、ブラックの各色について行なわれる。
この濃度パターン５４は、各色ごとに転写ベルト１０９の左右両端どちらか、もしくはその両端に転写される
　濃度パターン５４を読み取るように配設された、
転写ベルト１０９のＣＣＤイメージセンサ２１，２２で読み取られた濃度パターンの出力値
濃度制御
　
　（３ｅ）第３図、第５図は以下のとおり。
　
（２）相違点２について 
　一般に、スポット状のビームを照射する発光部と、カラー別レジストレーションマークとカラー別画像濃度マークから反射されたビームを受光する受光部を備える光学検出手段は、本願優先日前に周知である。必要であれば、特開２００１−１９４８５１号公報（段落【００３４】等参照）、特開２００１−２０９２９２号公報（段落【００３７】〜【００４１】等参照）、特開平１０−２６０５６７号公報（段落【００１４】【００１５】【００１９】等参照）、特開２００１−５３４４号公報（段落【００３２】等参照）を参照。 
　
　そうすると、刊行物１記載の発明における光学センサーとして、周知技術を適用して、本願発明１のごとく、スポット状のビームを照射する発光部と、カラー別レジストレーションマークとカラー別画像濃度マークから反射されたビームを受光する受光部を備える光モジュールを採用することは、当業者が容易に想到しうるものである。
　
　また、第１乃至第４カラー別レジストレーションマークと第１乃至第４カラー別画像濃度マークを検出するために、光学による検出手段を、転写ベルトの上方に主走査方向にお互い離隔されるよう配置された「一対の検出手段」とすることは、上記相違点１に係る本願発明１の構成を採用することに伴って、当業者であれば普通に発想することである。
　そうすると、本願発明１のごとく、「第１乃至第４カラー別レジストレーションマークと第１乃至第４カラー別画像濃度マークを検出する、光学による検出手段は、「一対の光モジュール」であって、「前記一対の光モジュールは、前記転写ベルトの上方に主走査方向にお互い離隔されるよう配置され、前記第１レジストレーションマークと前記第１画像濃度マークを連続的に検出する第１光モジュールと、前記第２レジストレーションマークと前記第２画像濃度マークを連続的に検出する第２光モジュールとを含む」ものとすることは、上記相違点１に係る本願発明１の構成を採用することに伴い、当業者が極く容易になすことである。
　
　したがって、刊行物１記載の発明において、相違点２に係る本願発明１の構成とすることは、当業者が容易に想到し得ることである。
　
（３）相違点１，２全体の検討
　上記（１）、（２）では、主として各相違点の観点から検討したものであるが、全体としてみても、刊行物１記載の発明において、上記周知技術を適用または参考にして、相違点１，２に係る本願発明１の構成を併せて採用することに、技術的な困難はなく、当業者が容易に想到し得ることである。
　
（４）請求人の主張、及び本願発明１の効果について
 　請求人は、平成２２年５月１７日付けの意見書で次のように主張する。
　
　『引用文献１〜４には補正後の請求項１に記載している「
第１乃至第４カラー別画像濃度マークの各々は主走査方向にお互い離隔された第１、第２画像濃度マークを備えるというところ
　・・・（中略）・・・ 
　しかし、補正後の請求項１によれば、第１乃至第４カラー別画像濃度マークの各々は主走査方向にお互い離隔された第１、第２画像濃度マークを具備します。このような構成によれば、主走査方向の位置によって画像濃度マークの濃度が違っても、主走査方向にお互い離隔された２位置に各々設けられる第１、第２画像濃度マークを第１、第２光モジュールで各々検出し、２つの検出値を平均して画像濃度を制御することによって主走査方向の全体にわたって濃度の不均一性を緩和させることができます。すなわち、第１乃至第４カラーに対して各々第１、第２画像濃度マークの検出値を平均して画像濃度を制御することによって画像濃度マークが形成される位置によって発生する濃度検出誤差及びこれに基づく濃度制御誤差を縮めることができます。
　上記のように、補正後の請求項１によれば、画像形成装置の製造上の要因又は画像形成装置の長時間の使用による性能の劣化によって主走査方向の両側の濃度が変わる場合にも主走査方向の両側に配置された第１、第２画像濃度マークの濃度検出値段の中間値に基づいて現像条件を調節する等の画像濃度制御の動作を遂行することによって、より精密で均一する画像濃度制御が可能であり、このような特有の効果は引用文献１〜４に記載された構成では具現することができないものと思料します。 
　また、審尋の回答書に対する審判長殿のご判断である、「濃度検出を各カラー別に行う点は刊行物１に記載されており、画像領域の両側に第１乃至第４カラー別のマークを配列するという上記相違点２において検討した周知の技術的事項を考慮すれば、当業者なら、第１乃至第４カラー別画像濃度マークの各々を主走査方向にお互い離隔された第１、第２画像濃度マークを備えるように構成することもまた、容易になしうることである。」という点に対しては、
　これまでに、提示された引用文献、参考文献を再度見直しましたが、本願の「第１乃至第４カラー別画像濃度マークの各々を主走査方向にお互い離隔された第１、第２画像濃度マークを備える」という構成と同一の構成及びそれを示唆した箇所を見いだすことはできませんでした。
　これまでの引用文献等に記載されている発明においては、上述したような、画像形成装置の長時間の使用による性能の劣化によって主走査方向の両側の濃度が変わる場合にも主走査方向の両側に配置された第１、第２画像濃度マークの濃度検出値の中間値に基づいて現像条件を調節する等の画像濃度制御の動作の遂行するのと一連で各色相が形成する単位画像が互いに正確に重なるようにするためのカラーレジストレーションをすることにより、カラーレジストレーションのマークの濃度が安定し、より品質の高い画像形成装置を構成することができるという、本願発明の観点を有していないため、本願発明のような構成を想定することができなかったものと考え、そこに注視して構成した本願発明は、当業者が容易になしうるものではないと思料します。』
　
　しかしながら、上記（１）の「（イ）について）」で示したとおり、「画像濃度マークを、転写ベルト上の主走査方向の両側に離隔して配置される第１、第２画像濃度マークとすること」は、周知技術であり、そして、刊行物１記載の発明において、周知技術を適用して、本願発明１のごとく「第１乃至第４カラー別画像濃度マークの各々は転写ベルト上の主走査方向の両側に各々離隔して配置される第１、第２画像濃度マーク」とすることは、当業者が容易に想到し得ることである。
　そして、「（３）相違点１，２全体の検討」に記載したとおり、「全体としてみても、刊行物１記載の発明において、周知技術を適用または参考にして、本願発明１の相違点１，２に係る構成を併せて採用することに、技術的な困難はなく、当業者が容易に想到し得ることである」。
　しかも、本願発明１によってもたらされる効果は、刊行物１に記載された事項及び周知技術から、当業者が予測しうる程度のことであって、格別なものではない。
　よって、請求人の主張を採用することができない。
　
（５）まとめ 
　したがって、本願発明１は、刊行物１記載の発明および周知技術に基づいて当業者が容易に発明をすることができたものである。
　
　
５．むすび 
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。